(57)【要約】【課題】代替電流（AC）電源サプライ、調光器、変換器、及び調光制御回路を含むＬＥＤ照明装置用の電源回路を提供する。【解決手段】前記調光制御回路には、前記変換器から出力される電圧信号を濾波するように構成される濾波ユニット、及び当該濾波ユニットから出力される信号を受信して当該信号をＤＣ信号に整流するように構成される整流ユニットが含まれる。前記調光制御回路には、また、前記受信されたＤＣ電圧を必要とされるＤＣ電圧に引き上げるように構成されるブースト変換ユニット、及び前記ブースト変換ユニットにより引き上げられたＤＣ電圧を制御するように構成される電圧フィードバック制御回路ユニットが含まれる。【選択図】図１
2017504934.tif 000002
【特許請求の範囲】
【請求項１】
代替電流（AC）電源サプライ、調光器、変換器、及び調光制御回路を含む、発光ダイオード（LED）照明装置用の電源回路であって、ここで、前記調光制御回路が、
前記変換器から出力される電圧信号を濾波し、当該濾波された電圧信号を出力するように構成される濾波ユニット、
前記濾波ユニットから出力される信号を受信し、前記信号を直流（DC）信号に整流し、及び当該ＤＣ信号を出力するように構成される整流ユニット、
前記整流ユニットから出力されるＤＣ信号を受信し、当該受信されたＤＣ電圧を必要とされるＤＣ電圧に引き上げるように構成されるブースト変換ユニット、
前記ブースト変換ユニットにより引き上げられたＤＣ電圧を制御するように構成される電圧フィードバック制御回路ユニット、
前記ブースト変換ユニットにより引き上げられたＤＣ電圧を、前記ＬＥＤ照明装置により必要とされる電圧及び電流に変換するように構成される降圧変換ユニット、及び
前記ブースト変換ユニット、前記電圧フィードバック制御回路ユニット、及び前記降圧変換ユニットにそれぞれ接続され、入力電源及び出力電源がダイナミックにバランスがとられて光の点滅が発生しないように、前記ブースト変換ユニットにより引き上げられた特定点における電圧及び電圧波形に基づいて前記降圧変換ユニットにより必要とされる電流強度を自動的に調整するように構成される、デジタル制御ユニット、
を含む、電源回路。
【請求項２】
前記調光制御回路が、さらに、
前記デジタル制御ユニット及び前記降圧変換ユニットにそれぞれ接続され、
前記特定点における電圧をサンプリングし、及び
前記サンプリングされた電圧を、ノイズ干渉がなく、前記降圧変換ユニットの参照電圧値を変えるために用いられるアナログ電圧に変換する、
ように構成される電圧検知ユニット、
を含む、請求項１に記載の電源回路。
【請求項３】
前記調光制御回路が、さらに、
前記整流ユニット及び前記デジタル制御ユニットにそれぞれ接続され、前記入力電流の強度を制御するように構成される入力電流制御ユニットを含み、
ここで、前記特定点における電圧が低下し、前記ＬＥＤ照明装置の最低誘導電圧に近接するとき、前記デジタル制御ユニットが前記入力電流制御ユニットのスイッチを入れ、これにより更に調光プロセスを支援して当該調光プロセスをスムーズにする、
請求項１に記載の電源回路。
【請求項４】
前記調光制御回路が、さらに、
電界効果トランジスタを含む補助回路を含み、ここで、
前記電界効果トランジスタのグリッド電極が前記デジタル制御ユニットに接続され、
前記電界効果トランジスタのドレイン電極が前記特定点に電気抵抗を介して接続され、
前記電界効果トランジスタのソース電極がアースに接続され、及び
前記特定点における電圧が低下し、前記ＬＥＤ照明装置の前記最低誘導電圧に近接するとき、しミュレートされた負荷が低電圧条件下で提供されるように、前記デジタル制御ユニットが前記電界効果トランジスタ用の高電気レベル駆動信号を提供する、
請求項１に記載の電源回路。
【請求項５】
ＬＥＤ照明装置用の調光制御方法であって、
ＬＥＤ照明装置の電源スイッチを入れること、
調光器が前記ＬＥＤ照明装置用の調光制御操作を実行するとき、ブースト変換ユニットにより引き上げられた特定点における電圧をサンプリングすること、
前記特定点における電圧をサンプリングすること、
前記特定点における電圧波形を確認すること、及び
前記特定点における電圧波形が予め設定された基準以上であるとき、前記電圧波形が前記予め設定された基準よりも小さくなるまで低下するように、デジタル制御ユニットにより制御信号を降圧変換ユニットに送信して電流を変えること、
を含む、方法。
【請求項６】
さらに、
前記入力電流が予め設定された値よりも小さいことを入力電流制御ユニットが検知するとき、前記調光器が低発光条件下で連続誘導モードになり調光点滅現象が低減するように、内部回路のスイッチを入れ、前記入力電流を予め設定された値に自動的に維持すること、
を含む、請求項５の方法。
【請求項７】
さらに、
前記特定点における電圧が低下し、前記ＬＥＤ照明装置の最低誘導電圧に近接するとき、シミュレートされた負荷が低電圧条件下で提供されるように、前記電界効果トランジスタ用の高電気レベル駆動信号を提供すること、
を含む、請求項５に記載の方法。
【請求項８】
電圧検知ユニットが前記特定点における前記サンプリングされた信号を受信して前記サンプリングされた信号が濾波されるとき、前記サンプリングされた信号のノイズ干渉が除去されて前記サンプリングされた信号の低周波波形が減少し、
前記サンプリングされた信号がノイズ干渉のないアナログ電圧信号に変換され、
当該アナログ信号が前記降圧変換ユニットに伝送され、
前記アナログ電圧信号が、前記降圧変換ユニットの出力電流の参照電圧値を直接変化させ、及び
前記降圧変換ユニットの出力電流の参照電圧値が変化するとき、前記ＬＥＤ照明装置の電流が制御されるように、前記出力電流もこれにしたがい変化する、
請求項５に記載の方法。
【発明の詳細な説明】
【技術分野】
【０００１】
本出願は、2014年6月24日に出願された中国特許出願CN201410288612.5に基づく優先権を主張し、この出願全体の開示及び内容は本発明に参照により取り込まれる。
【０００２】
本願開示は、一般的に発光ダイオード（LED）照明技術の分野に関し、特に、ＬＥＤ照明装置用の電力回路及び調光制御方法に関する。
【背景技術】
【０００３】
ＬＥＤ照明は、一般に、省エネルギー、環境保護、制御照明（controllable lighting）、固体状態照明、及び長期操作寿命における優位性を提供することができる。したがって、ＬＥＤ灯は、公共の、商業的な、及び／又は室内照明用に様々な領域で広範に用いられてきた。
【０００４】
しばしばＬＥＤ灯は、白熱灯、省電力灯、及びその他従来灯に類似して一般にデザインされた灯ヘッド（lamp-head）構造をもつことができる。おそらく、ＬＥＤ灯は、その他の従来灯を含む照明システムの元々の構成を変えずに簡単に搭載することにより、その他の従来灯に直接置き換わって用いることができる。
【発明の概要】
【発明が解決しようとする課題】
【０００５】
しかしながら、その他の従来灯を従来のＬＥＤ灯に置き換えるとき、その他の従来灯は置き換えられたＬＥＤ灯の調光特性（dimming feature）を実行する如何なる調光装置（dimmers）も含まないので、ＬＥＤ灯の調光特性を適用させることができない。そのような従来のシステムに調光装置を追加することにより、費用が上昇し、複雑で追加的な搭載が必要になり得る。
【０００６】
本願開示のＬＥＤ電力回路及び調光制御方法は、上記の１又は複数の課題及びその他の課題の解決に関する。
【課題を解決するための手段】
【０００７】
本願開示の１つの側面には、代替交流（AC）電源サプライ、調光器（dimmer）、変換器（transformer）、及び調光制御回路を含む、ＬＥＤ照明装置用の電源回路（power circuit）が含まれる。前記調光制御回路は、前記変換器から出力された電圧信号（voltage signal）を濾波し（filter）、当該濾波された信号を出力するように構成される濾波ユニット、及び前記濾波ユニットから出力された信号を受信し、前記信号を直流（DC）信号に整流し（rectify）、当該直流信号を出力するように構成される整流ユニットを含む。前記調光制御回路は、また、前記整流ユニットから出力されたＤＣ信号を受信し、当該受信したＤＣ電圧を必要なＤＣ電圧に引き上げるように構成されるブースト変換ユニット（boost converter unit）、及び当該ブースト変換ユニットにより引き上げられたＤＣ電圧を制御するように構成される電圧フィードバック制御回路ユニット（voltage feedback control circuit unit）を含む。さらに、前記調光制御回路は、前記ブースト変換ユニットにより引き上げられたＤＣ電圧を、それぞれが前記ブースト変換ユニットに接続される前記ＬＥＤ照明装置及びデジタル制御ユニット（digital control unit）により必要とされる電圧と電流に変換するように構成される降圧変換ユニット（buck converter unit）を含み、前記電圧フィードバック制御回路ユニット及び前記降圧変換ユニットは、前記ブースト変換ユニット及び前記電圧波形（ripple）により引き上げられる特定点における電圧に基づいて、入力電力及び出力電力がダイナミックに均衡して光の点滅（light flicker）が発生しないように、前記降圧変換ユニットにより必要とされる電流強度に自動的に調整されるように構成される。
【０００８】
本願開示のもう１つの側面には、ＬＥＤ照明装置用の調光制御方法が含まれる。当該方法には、ＬＥＤ照明装置の電源スイッチを入れることが含まれる。前記方法には、また、調光器が前記ＬＥＤ照明装置用の調光制御操作を実行するとき、ブースト変換ユニットにより引き上げられた特定点における電圧をサンプリングすることが含まれる。さらに、前記方法には、前記特定点における電圧をサンプリングし、前記特定点における電圧波形を確認することが含まれ、ここで前記特定点における前記電圧波形が予め設定された値以上のとき、デジタル制御ユニットは制御信号を降圧変換ユニットに送信して、前記特定点における前記電圧波形が前記予め設定された基準よりも小さくなるまで減少させるように電流を変化させる。
【０００９】
当業者は、本願開示のその他の側面を、本願開示の記載、特許請求の範囲、及び図面に照らして理解することができる。
【図面の簡単な説明】
【００１０】
以下の図面は様々な開示の態様にしたがった説明のための単なる実例であり、本願発明の範囲を限定することを意図するものではない。
【００１１】
【図１】本願開示の様々な開示の態様にしたがった、ＬＥＤ電源回路の１例を示す構造図である。
【００１２】
【図２】本願開示の様々な開示の態様にしたがった、ＬＥＤ調光制御プロセスの１例のフローチャートを示す図である。
【００１３】
【図３】本願開示の様々な開示の態様にしたがった、電圧波形が予め設定された基準よりも大きいときの状態をしめすブロック図の１例を示す図である。
【００１４】
【図４】本願開示の様々な開示の態様にしたがった、電圧波形が予め設定された基準よりも小さいときの状態をしめすブロック図の１例を示す図である。
【発明を実施するための形態】
【００１５】
添付図面に記載された本願開示態様の実例について、以下に詳細な説明を行う。可能な限り、全図面を通して、同一又は類似のものを言及するために同一の参照番号を用いる。
【００１６】
図１は、本願開示の様々な開示の態様にしたがった、ＬＥＤ電源回路の１例を示す構造図である。本願開示において提供されるＬＥＤ電源回路は、電子誘導変換器（electronic induction transformer）及び位相調光器（phase cut dimmer）に匹敵するＬＥＤ電源回路である。図１に示されるように、前記ＬＥＤ電源回路は、代替の交流（AC）電源サプライ１２、調光器１４、変換器１６、及び調光制御回路１８を含むことができる。前記ＡＣ電源サプライ１２、前記調光器１４、及び前記変換器１６は、広範に用いられる現存する構造であり得る。前記調光制御回路１８は、濾波ユニット１８１、整流ユニット１８２、ブースト変換ユニット１８３、電圧フィードバック制御回路ユニット１８４、降圧変換ユニット１８５、デジタル制御ユニット１８６、電圧検知ユニット１８７、入力電流制御ユニット１８８、及び補助回路Ｑ３を含むことができる。
【００１７】
前記濾波回路１８１は、前記変換器により出力される電圧信号を濾波し、前記濾波された電圧信号を出力するように構成することができる。
【００１８】
前記整流ユニット１８２は、前記濾波ユニットにより出力される信号を受信し、前記入力される信号を直流（DC）信号に整流するように構成することができる。
【００１９】
前記ブースト変換ユニット１８３は、前記整流ユニットにより出力された信号を受信し、前記電圧を必要とされるＤＣ電圧に引き上げるように構成することができる。前記ブースト変換器１８３は、その入力電圧よりも大きな出力電圧を備えるＤＣ−ｔｏ−ＤＣ電源変換器である。それは、少なくとも２つの半導体（ダイオード及びトランジスタ）と少なくとも１つのエネルギー保存部分、キャパシタ、インデューサー、又はこれら２つの組み合わせとを含むスイッチ−モード電源サプライ（switched-mode power supply (SMPS)）の１つのクラスである。
【００２０】
前記電圧フィードバック制御ユニット１８４は、前記ブースト変換ユニット１８３により引き上げられる電圧を制御するように構成することができる。
【００２１】
前記降圧変換ユニット１８５は、前記ブースト変換ユニットにより引き上げられる電圧を前記ＬＥＤ照明装置により必要とされる電圧及び電流に変換するように構成することができる。前記降圧変換ユニットは、電圧ステップダウン及び電流ステップダウン変換器である。
【００２２】
前記デジタル制御ユニット１８６は、前記ブースト変換ユニット、前記電圧フィードバック制御ユニット、及び前記降圧変換ユニットにそれぞれ接続される。前記ＬＥＤ照明装置の電流強度は、前記調光器の調光レベル及び前記調光レベルの位置する点Ｐ１における電圧に関連する。前記電圧及び点Ｐ１における電圧波形に基づいて、前記デジタル制御ユニットは前記降圧変換ユニットにより必要とされる電流を自動的に調整する。したがって、前記入力電源及び出力電源はダイナミックにバランスがとられ、光の点滅が発生しない。
【００２３】
前記電圧検知ユニット１８７は、前記デジタル制御ユニット１８６及び前記降圧変換ユニット１８５に、それぞれ接続される。前記電圧検知ユニット１８７は、アナログ電圧信号が前記降圧変換ユニットの参照電圧を変化されることができ、当該アナログ電圧信号がノイズの干渉がなくスムーズである場合、点Ｐ１における電圧をサンプリングし、点Ｐ１における電圧を前記アナログ電圧信号に変換するように構成することができる。
【００２４】
前記入力電流制御ユニット１８８は、前記整流ユニット１８２及び前記デジタル制御ユニット１８６に、それぞれ接続される。前記入力電流制御ユニット１８８は、前記入力電流強度を制御するように構成することができる。点Ｐ１における電圧が低下し、前記ＬＥＤ照明装置の最低誘導電圧に近くなるとき、前記デジタル制御ユニット１８６は、前記入力電流制御ユニットのスイッチを入れることができ、これにより更に、調光プロセス全体を援助して当該調光プロセスをよりスムーズにする。
【００２５】
前記補助回路Ｑ３は、電界効果トランジスタ（field effect transistor）を含む。当該電界効果トランジスタは、グリッド電極（grid electrode）、ドレイン電極（drain electrode）、及びソース電極（source electrode）を含む。前記電界効果トランジスタのグリッド電極は、デジタル制御ユニット１８６に接続される。前記電界効果トランジスタのドレイン電極は、電気抵抗を介して点Ｐ１に接続される。前記電界効果トランジスタのソース電極は、アースに接続される。点Ｐ１における電圧が低下し、前記ＬＥＤ照明装置の最低誘導電圧に近接するとき、前記デジタル制御ユニットは、低電圧条件下でシミュレートされた負荷が提供されるように、前記電界効果トランジスタ用の高電気レベル駆動信号（high electrical level driving signal）を提供する。
【００２６】
前記ＬＥＤ照明装置の電源回路の操作プロセスは以下のように記載される。初めに、前記濾波ユニット１８１は、前記変換器１６から来る電圧信号を濾波し、当該濾波された電圧信号を前記整流ユニット１８２に出力する。次に、前記濾波電圧信号は前記整流ユニット１８２により整流され、ＤＣ信号に変換される。当該ＤＣ信号は、前記ブースト変換ユニット１８３に出力される。前記ブースト変換ユニット１８３は、前記電圧を必要とされる前記ＤＣ電圧に引き上げる。前記引き上げられたＤＣ電圧は前記電圧フィードバック制御回路ユニットにより制御される。最後に、前記降圧変換ユニット１８５は、前記電圧を前記ＬＥＤ照明装置により必要とされる電圧及び電流に変換する。
【００２７】
前記調光制御回路の調光制御プロセスは以下のように記載される。
【００２８】
前記調光器が前記ＬＥＤ照明装置用の調光制御操作を実行するとき、前記調光レベルは点Ｐ１に位置することができる。前記ブースト変換ユニット１８３により引き上げられる点Ｐ１における電圧はサンプリングされ、前記電圧検知ユニット１８７に送信される。前記電圧検知ユニット１８７は前記サンプリングされた電圧信号を加工し、当該加工された電圧信号を前記降圧変換ユニット１８５に送信する。前記調光信号の受信後、前記降圧変換ユニット１８５は前記ＬＥＤ照明装置の電流を制御する。
【００２９】
同時に、前記デジタル制御ユニット１８６は、また、点Ｐ１における電圧をサンプリングする。前記デジタル制御ユニットは点Ｐ１における電圧波形を確認する。もし点Ｐ１における電圧波形が大き過ぎるなら、前記電圧検知ユニット１８７により検知される電圧の変動は大き過ぎる。したがって、前記降圧変換ユニット１８５に伝達される電圧は不安定である可能性があり、前記ＬＥＤ照明装置の光の点滅が発生する可能性がある。
【００３０】
図３は、本願発明の複数の態様にしたがった、電圧波形が予め設定された基準よりも大きいときの状態を記述する状態図を示す。図３に示されるように、もし電圧波形が予め設定された基準以上であるなら、前記デジタル制御ユニットは、前記降圧変換ユニットが前記電流を変化させることができるように前記降圧変換ユニットに前記信号を送信し続ける。図４は、本願開示の態様にしたがった、電圧波形が予め設定された基準よりも小さいときの状態を記述する状態図を示す。図４に示されるように、電圧波形は、前記電圧波形が前記予め設定された基準よりも小さくなるまで低下する。前記ＬＥＤ照明装置の電流強度は、前記調光器の調光レベル及び点Ｐ１における電圧に関係する。点Ｐ１における電圧及び前記電圧波形に基づいて、前記デジタル制御ユニット及び前記電圧検知ユニットは、前記降圧変換ユニットにより必要とされる電流を自動的に調整する。したがって、前記入力電源（すなわち、前記変換器の出力電源）及び前記出力電源（すなわち、前記ＬＥＤ照明装置の電源）はダイナミックにバランスを調整され、光の点滅が発生しない。
【００３１】
前記電圧検知ユニットは点Ｐ１においてサンプリングされる電圧を受信し、当該サンプリングされる信号は濾波される。前記サンプリングされる信号のノイズ干渉は除去され、前記サンプリングされる信号の低周波数波形（low frequency ripple）は低下する。さらに、前記サンプリングされる信号は、スムーズでノイズ干渉のない前記アナログ電圧信号に変換される。前記アナログ電圧信号は、前記降圧変換ユニットに転送される。前記アナログ電圧信号は、前記降圧変換ユニットの出力電流の参照電圧値を直接変化させる。前記降圧変換ユニットの出力電流の参照電圧値が変化するとき、前記出力電流も、これにしたがって変化し、もって前記ＬＥＤ照明装置の電流を制御する。
【００３２】
さらに、前記入力電流が予め設定された値よりも小さいことを前記入力電流制御ユニットが検知するとき、前記入力電流制御ユニットは前記内部回路のスイッチを入れ、自動的に前記入力電流を前記予め設定された値に維持する。したがって、低輝度の条件下で、前記変換器は連続的誘導モード（continuous conduction mode）にあり、前記調光点滅現象を低減させる。
【００３３】
前記デジタル制御ユニットは点Ｐ１における電圧を検知することができる。点Ｐ１における電圧が低下し、前記ＬＥＤ照明装置の最低誘導電圧に近接するとき、前記デジタル制御ユニットは前記入力電流制御ユニットのスイッチを入れることができる。したがって、前記デジタル制御ユニットは前記電流強度を制御し、さらに、前記調光プロセスを援助して前記調光プロセスをよりスムーズにする。
【００３４】
前記デジタル制御ユニットは、また前記補助回路Ｑ３も制御する。点Ｐ１における電圧が低下し、前記ＬＥＤ照明装置の最低誘導電圧に近接するとき、前記デジタル制御ユニットは、低電圧条件下でシミュレートされた負荷が提供されるように、前記補助回路Ｑ３の電界効果トランジスタ用の駆動信号を提供する。同時に、前記デジタル制御ユニットは、前記入力電流制御ユニット用の駆動信号を提供し、前記低電圧条件下で前記入力電流制御ユニットを制御してスイッチを入れる。したがって、前記低輝度条件下で、前記調光器は前記連続誘導モードになり、前記調光点滅現象を低減させる。
【００３５】
図２は、本願の様々な開示の態様にしたがった、ＬＥＤ調光制御プロセスの１例のフローチャートを示す図である。図２に示されるように、前記プロセスは以下のステップを含むことができる。
【００３６】
ステップ３１０：ＬＥＤ照明装置の電源スイッチが入れられる。
【００３７】
ステップ３１１：調光器が前記ＬＥＤ照明装置用の調光制御操作を実行するとき、ブースト変換ユニットにより引き上げられる点Ｐ１における電圧はサンプリングされる。
【００３８】
ステップ３１２：デジタル制御ユニットは点Ｐ１における電圧をサンプリングし、点Ｐ１における電圧波形を確認する。点Ｐ１における電圧波形が予め設定された基準以上なら、前記デジタル制御ユニットは、前記電圧波形が前記予め設定された基準よりも小さくなるまで点Ｐ１における電圧波形が低下するように、制御信号を降圧変換ユニットに送信し続けて前記電流を変える。
【００３９】
ステップ３１３：入力電流制御ユニットが前記入力電流が予め設定された値よりも小さいことを検知するとき、前記入力電流制御ユニットが内部回路のスイッチを入れ、前記入力電流を前記予め設定された値に自動的に維持する。したがって、低輝度条件下で、前記調光器は連続誘導モードになり、前記調光点滅現象を低減させる。
【００４０】
ステップ３１４：点Ｐ１における電圧が低下し、前記ＬＥＤ照明装置の最低誘導電圧に近接するとき、前記デジタル制御ユニットは、前記低電圧条件下でシミュレートされた負荷が提供されるように、補助回路Ｑ３の電界効果トランジスタ用の高電気レベルの駆動信号を提供する。
【００４１】
本願に開示される態様は単なる例示にすぎない。本願開示の態様のその他の応用、利点、変更、修飾、又は等価物は、当業者に明らかであり、本願開示の範囲内に包含されることが意図されている。
【産業上の利用可能性】
【００４２】
如何なる請求項及び／又は明細書の範囲の限定なしに、本願開示の態様の産業上の利用可能性及び特定の有利な効果を、実例を挙げて説明する。本願開示の態様の解決手段の様々な変更、修飾、又は等価物は当業者に明らかであり得、本願開示に含むことができる。
【００４３】
ＬＥＤ照明装置の電源回路には、ＡＣ電源サプライ、調光器、変換器、及び調光制御回路が含まれる。前記調光制御回路には、前記変換器から出力される電圧信号を濾波するように構成される濾波ユニット、及び前記濾波ユニットから出力される信号を受信して当該信号をＤＣ信号に整流するように構成される整流ユニットが含まれる。前記調光制御回路には、また、前記受信されるＤＣ電圧を必要とされるＤＣ電圧に引き上げるように構成されるブースト変換ユニット、及び前記ブースト変換ユニットにより引き上げられるＤＣ電圧を制御するように構成される電圧フィードバック制御回路ユニットが含まれる。さらに、前記調光制御回路には、前記引き上げられたＤＣ電圧を前記ＬＥＤ照明装置により必要とされる電圧及び電流に変換するように構成される降圧変換ユニット、及び前記降圧変換ユニットにより必要とされる電流強度に自動的に調整するように構成されるデジタル制御ユニットが含まれる。
【００４４】
現存する技術と比較して、前記ＬＥＤ照明装置の調光プロセスはスムーズで点滅がない。前記入力電源（すなわち、前記変換器の出力電源）及び前記出力電源（すなわち、前記ＬＥＤ照明装置の電源）がダイナミックに均衡が図られて前記光の点滅現象が発生しないように、前記降圧変換ユニットにより必要とされる電流強度は自動的に調整される。
【符号の説明】
【００４５】
１２    ＡＣ電源サプライ
１４    調光器
１６    変換器
１８    調光制御回路
１８１  濾波ユニット
１８２  整流ユニット
１８３  ブースト変換ユニット
１８４  電圧フィードバック制御回路ユニット
１８５  降圧変換ユニット
１８６  デジタル制御ユニット
１８７  電圧検知ユニット
１８８  入力電流制御ユニット
Ｑ３    補助回路
【図１】
2017504934.tif 000003
【図２】
2017504934.tif 000004
【図３】
2017504934.tif 000005
【図４】
2017504934.tif 000006
【国際調査報告】
2017504934.tif 000007
2017504934.tif 000008